(57)【特許請求の範囲】
【請求項１】
印字テープの裏面に剥離紙を積層した第１の印字媒体を収納し、該印字媒体に剥離紙が存在することを表す識別情報が付された第１のテープカセット又は印字テープの裏面に剥離紙が存在しない第２の印字媒体を収納し、該印字媒体に剥離紙が存在しないことを表す識別情報が付された第２のテープカセットが交換可能に装着されるカセット収容部と、
前記カセット収容部に設けられ前記第１の印字媒体又は前記第２の印字媒体に印字を行う印字手段と、
前記印字手段よりも下流側に配設され、前記第１の印字媒体の印字テープのみを切断するハーフカットと、前記第１の印字媒及又は前記第２の印字媒体を切断するフルカットを行なう切断手段と、
前記切断手段を制御する制御手段と、
前記カセット収容部に装着されたテープカセットの種類を前記識別情報に基づいて判別する判別手段とを備え、
前記制御手段は、前記判別手段により剥離紙が存在する前記第１の印字媒体を収納した前記第１のテープカセットが判別されたときには、前記切断手段を作動させて前記第１の印字媒体にハーフカットとフルカットを行い、また前記判別手段により剥離紙が存在しない前記第２の印字媒体を収納した前記第２のテープカセットが判別されたときには、前記切断手段を作動させて前記第２の印字媒体にフルカットのみを行うことを特徴とする印字装置。
【請求項２】
印字テープの裏面に剥離紙を積層した第１の印字媒体を収納し、該印字媒体に剥離紙が存在することを表す識別情報が付された第１のテープカセット又は印字テープの裏面に剥離紙が存在しない第２の印字媒体を収納し、該印字媒体に剥離紙が存在しないことを表す識別情報が付された第２のテープカセットが交換可能に装着されるカセット収容部と、
前記カセット収容部に設けられ前記第１の印字媒体又は前記第２の印字媒体に印字を行う印字手段と、
前記印字手段よりも下流側に配設され、前記第１の印字媒体の印字テープのみを切断するハーフカットを行う第１の切断手段と、
前記印字手段よりも下流側に配設され、前記第１の印字媒及又は前記第２の印字媒体を切断するフルカットを行う第２の切断手段と、
前記第１の切断手段及び前記第２の切断手段を制御する制御手段と、
前記カセット収容部に装着されたテープカセットの種類を前記識別情報に基づいて判別する判別手段とを備え、
前記制御手段は、前記判別手段により剥離紙が存在する前記第１の印字媒体を収納した前記第１のテープカセットが判別されたときには、前記第１の切断手段及び前記第２の切断手段を作動させて前記第１の印字媒体にハーフカットとフルカットを行い、また前記判別手段により剥離紙が存在しない前記第２の印字媒体を収納した前記第２のテープカセットが判別されたときには、前記第２の切断手段を作動させて前記第２の印字媒体にフルカットを行うことを特徴とする印字装置。
【発明の詳細な説明】
【０００１】
【発明の属する技術分野】
本発明は、テープ状の印字媒体を切断する切断手段を備えた印字装置に関する。
【０００２】
【従来の技術】
剥離紙が積層された接着剤付きの印字テープに文字を印字してビデオテープカセットやオーディオテープカセットに貼り付けるタイトルラベルや種々のラベルを作成するテープ印字装置が普及している。
【０００３】
このテープ印字装置は、印刷する文字データを入力するキーボード、入力されたデータを表示する表示部、入力された文字データから印字データを作成するデータ制御部、印字データを印字テープに印字するプリンタ部を備え、プリンタ部には印字テープを送るテープ送り機構、印字テープにインクリボンを介して熱転写印字を行うサーマルヘッド、印字テープを切断するテープ切断機構などを備えて構成される。
【０００４】
また、前記テープ切断機構としては、印字テープを剥離紙とともに切断して印字テープの印字部分を切り離すフルカット機構に加えて剥離紙を残して印字テープを切断するハーフカット機構を備えるものもある。
【０００５】
フルカット機構とハーフカット機構を備えるテープ印字装置によって作成されたラベルは、フルカット機構により切り出されるラベルの端部にハーフカット機構により印字テープ部分のみに切り込みが形成されるため、その切り込みを手がかりに印字テープを剥離紙から容易に剥がすことができて便利である。
【０００６】
【発明が解決しようとする課題】
前記テープ印字装置では、裏面に接着剤が設けられ剥離紙が積層された貼着用の印字テープの他に転写用の印字テープも使用される。この転写用の印字テープは加圧や加熱によりテープ面に形成された印字像をそのテープ面から他に転写するためのものであり、印字面の裏面側に接着剤が塗布されておらず、剥離紙も積層されない点でテープ構造が相違している。そして、この転写用の印字テープは剥離紙がないため、ハーフカットを行う必要がなくフルカット処理のみ行えば足りる。
【０００７】
しかし、前記テープ印字装置でハーフカット処理を行う場合には、装置に装着されているテープが剥離紙を有する貼着用のテープか、それとも転写用などの剥離紙のないテープかを見極めてハーフカット処理を加えるか否かの設定を行う必要があり、また転写用などのテープにハーフカット処理の設定を行うと無駄な処理を行うことになり、そのハーフカット処理のためにテープの無駄が発生する。
【０００８】
本発明は、前記のような問題点に鑑みなされたもので、印字テープと剥離紙を積層した構造を有する印字媒体には、印字テープのみを切断する切断処理を加え、印字テープだけで剥離紙を有さない印字媒体には前記切断処理を加えないことで、無駄な切断処理や印字媒体の無駄な消費をなくすることができる印字装置を提供することを目的とする。
【０００９】
【課題を解決するための手段】
請求項１に係る印字装置は、印字テープの裏面に剥離紙を積層した第１の印字媒体を収納し、該印字媒体に剥離紙が存在することを表す識別情報が付された第１のテープカセット又は印字テープの裏面に剥離紙が存在しない第２の印字媒体を収納し、該印字媒体に剥離紙が存在しないことを表す識別情報が付された第２のテープカセットが交換可能に装着されるカセット収容部と、前記カセット収容部に設けられ前記第１の印字媒体又は前記第２の印字媒体に印字を行う印字手段と、前記印字手段よりも下流側に配設され、前記第１の印字媒体の印字テープのみを切断するハーフカットと、前記第１の印字媒及又は前記第２の印字媒体を切断するフルカットを行なう切断手段と、前記切断手段を制御する制御手段と、前記カセット収容部に装着されたテープカセットの種類を前記識別情報に基づいて判別する判別手段とを備え、前記制御手段は、前記判別手段により剥離紙が存在する前記第１の印字媒体を収納した前記第１のテープカセットが判別されたときには、前記切断手段を作動させて前記第１の印字媒体にハーフカットとフルカットを行い、また前記判別手段により剥離紙が存在しない前記第２の印字媒体を収納した前記第２のテープカセットが判別されたときには、前記切断手段を作動させて前記第２の印字媒体にフルカットのみを行うように構成したものである。
【００１０】
この印字装置によれば、カセット収容部に装着されたテープカセットの種類が判別され、その判別結果に応じて、印字テープの裏面に剥離紙を積層した第１の印字媒体に対しては、その印字テープのみを切断するハーフカットと、印字テープと剥離紙を切断するフルカットを行い、印字テープの裏面に剥離紙が存在しない第２の印字媒体に対しては、その印字テープを切断するフルカットのみを行ない、ハーフカットは行わない。
【００１１】
また、請求項２に係る印字装置は、印字テープの裏面に剥離紙を積層した第１の印字媒体を収納し、該印字媒体に剥離紙が存在することを表す識別情報が付された第１のテープカセット又は印字テープの裏面に剥離紙が存在しない第２の印字媒体を収納し、該印字媒体に剥離紙が存在しないことを表す識別情報が付された第２のテープカセットが交換可能に装着されるカセット収容部と、前記カセット収容部に設けられ前記第１の印字媒体又は前記第２の印字媒体に印字を行う印字手段と、前記印字手段よりも下流側に配設され、記第１の印字媒体の印字テープのみを切断するハーフカットを行う第１の切断手段と、前記印字手段よりも下流側に配設され、前記第１の印字媒及又は前記第２の印字媒体を切断するフルカットを行う第２の切断手段と、前記第１の切断手段及び前記第２の切断手段を制御する制御手段と、前記カセット収容部に装着されたテープカセットの種類を前記識別情報に基づいて判別する判別手段とを備え、前記制御手段は、前記判別手段により剥離紙が存在する前記第１の印字媒体を収納した前記第１のテープカセットが判別されたときには、前記第１の切断手段及び前記第２の切断手段を作動させて前記第１の印字媒体にハーフカットとフルカットを行い、また前記判別手段により剥離紙が存在しない前記第２の印字媒体を収納した前記第２のテープカセットが判別されたときには、前記第２の切断手段を作動させて前記第２の印字媒体にフルカットを行うように構成したものである。
【００１２】
この印字装置によれば、カセット収容部に装着されたテープカセットの種類が判別され、その判別結果に応じて、印字テープの裏面に剥離紙を積層した第１の印字媒体に対しては、第１の切断手段により印字テープのみを切断するハーフカットと、第２の切断手段により印字テープと剥離紙を切断するフルカットを行い、印字テープの裏面に剥離紙が存在しない第２の印字媒体に対しては、第２の切断手段のみを作動させてフルカットのみを行ない、ハーフカットは行わない。
【００１３】
【発明の実施の形態】
以下図面により本発明の実施の形態について説明する。
【００１４】
図１は、本発明の実施の形態に係るテープ印字装置の斜視図であり、図２はテープカセット収容部及びテープカセットの斜視図である。
【００１５】
図１に図示のように、テープ印字装置１の装置本体２の上面には、キーボード３、液晶表示部４が設けられ、開閉自在の蓋５でカバーされたカセット収容部６が設けられる。
【００１６】
キーボード３には、装置の電源を操作する電源キー、文字や記号を入力する文字・記号入力キー、入力した文字や記号などを削除する削除キー、表示画面上でカーソルを上下左右に移動操作するカーソル移動キー、作成された文書の印刷を指示する印刷キー、メニュー画面などでの選択の実行や各種処理の実行を指示する実行キー、あるいは処理の実行を取り消す取消しキーなど、テープ印字装置１のテープ印字制御処理に必要なキーが設けられる。
【００１７】
また、カセット収容部６には、熱転写プリンタの印字機構が設けられ、印字用の印字用のテープ１４と熱転写用のインクリボン１６を収容したテープカセット１２が装着される。
【００１８】
前記印字機構は、印字データに基づいて発熱素子が発熱駆動されるサーマルヘッド７と、このサーマルヘッド７の駆動時に回転駆動されて印字用のテープ１４及びインクリボン１６を搬送するプラテンローラ８及び熱転写により使用されたインクリボン１６を巻き取るリボン巻取軸９備える。
【００１９】
サーマルヘッド７は、印字用のテープ１４の幅方向に１列に配列された複数個の発熱体１０を備え、軸１１を中心に回動してプラテンローラ８に対して圧接及び開離可能に設けられている。
【００２０】
プラテンローラ８は図示しない駆動部により回転されてサーマルヘッド７の１ラインの印字毎に一定角度だけ回転駆動されてテープ１４及びインクリボン１６を所定の距離だけ搬送し、プラテンローラ８の回転駆動とともにリボン巻取軸９も図示しない駆動部により回転駆動されて使用済のインクリボン１６が巻き取られる。
【００２１】
カセット収容部６に装着されるテープカセット１２は、カセットケース１３と、テープ１４を巻装したテープ供給リール１５と、インクリボン１６を巻装したリボン供給リール１７と、リボン巻取軸９により回転駆動されるリボン巻取リール１８とを備えている。またカセットケース１３の一部にはサーマルヘッド７が収容されるヘッド挿入部１９が設けられ、このヘッド挿入部１９にカセットケース１３からテープ１４及びインクリボン１６が重ねて引き出されてサーマルヘッド７とプラテンローラ８の間に供給される。
【００２２】
このテープ印字装置では、テープ１４とインクリボン１６とがプラテンローラ８の回転駆動により搬送され、また使用済みのインクリボン１６がリボン巻取軸９の回転駆動により巻き取られつつ、サーマルヘッド７の発熱駆動により熱転写印字が行なわれて文字列からなる文書のデータが印字テープ１４の長手方向に順次印字される。印字が済んだテープ１４はテープ排出口２０から機外に排出され、テープ切断機構２１により印字済部分が切断される。
【００２３】
このテープ印字装置１に使用されるテープカセット１２には、内部に収納するテープの種類や幅の異なるものが複数種類が用意されている。
【００２４】
例えば、図３（ａ）、（ｂ）は印字用テープの構造を示す図であるが、この図に示すように、貼着ラベルを作成するための印字用のテープ（貼着用のテープ）１４ａは、印字面の裏面に接着剤１４ｃが塗布された印字テープ１４ｂの裏面側に剥離紙１４ｄが積層されて構成されているが、印字像を他に転写する印字用のテープ（転写用のテープ）１４ｅでは転写用の印字テープ１４ｆのみで印字テープ１４ｆの裏面に接着剤や剥離紙は存在しない。なお、ホワイトボードなどに磁力により吸着して用いる表示ラベルを作成するための磁力印字テープでは、印字テープの裏面に磁力テープが貼着されて構成されており、これも剥離紙は使用されない。
【００２５】
このような複数種類のテープカセット１２には、それらの種類を表すために、カセットケース１３の縁部に識別情報が付されている。図２の符号２２は、カセットケース１３の縁部の所定位置に設けられる印字テープの種類を識別するための種類識別情報部であり、テープ印字装置１のカセット収容部６に設けたテープ種類識別スイッチ２３により識別情報を検出するようにしている。
【００２６】
前記テープ種類識別スイッチ２３はマイクロスイッチで構成され、前記複数個種類識別情報部２２は、カセットケース１３に収容される印字テープが剥離紙を備えるものか否かにより形状が異なり、前記貼着用の印字テープ１４ａのように剥離紙を有するものであれば切り欠きが形成されて前記テープ種類識別スイッチ２３をオフ操作し、前記転写用の印字テープ１４ｅのように剥離紙を有さないものであれば切り欠きがなく前記テープ種類識別スイッチ２３をオン操作するものである。
【００２７】
また、同様にして、図２の符号２４はカセットケース１３の縁部の他の所定位置に設けられる印字テープの幅を識別するための幅識別情報部であり、テープ印字装置１のカセット収容部６に設けたテープ幅識別スイッチ２５により識別情報を検出するようにしている。
【００２８】
また、装置本体２には、印字が終了したテープを外部に排出するテープ排出口２０が設けられ、テープ排出口２０と印字機構の間のテープ排出路にはテープ切断機構２１が設けられる。このテープ切断機構２１は、印字が終了した印字テープの印字済部分を印字テープから切り離すフルカットと、印字テープに剥離紙が積層されてなる貼着用のテープの剥離紙を残して印字テープのみを切断するハーフカットの切断処理を行う。
【００２９】
図４はテープ切断機構２１の構成を示す図である。図４において、２６はカッタ刃２７を支持するカッタ支持部、２８はカッタ刃２７を受けるカッタ受部、２９はカッタ駆動モータ、３０はモータ出力軸に設けられた出力ギア、３１ないし３４はモータ２９の回転を伝達する伝達ギア、３５及び３６は伝達ギア３３及び３４に同軸に設けられたカム、３７はカッタ支持部２６をカッタ受部２８の方向に付勢するバネである。
【００３０】
カッタ支持部２６にはカッタ受部２８に向けて水平方向に長穴３８，３９が形成され、この長穴３８，３９にカム３５、３６に突設した係合ピン４０，４１が係合する。また、図４では図示しないが、カッタ支持部２６は、上下左右の方向には移動可能であるが、前後の方向は規制部材により移動しないように構成されている。
【００３１】
そして、前記カッタ支持部２６のカッタ刃２７の両側には、カッタ刃２７より突出する脚部４２，４３が設けられ、一方、カッタ受部２８には一対の凹部４４，４５が形成されている。
【００３２】
カッタ支持部２６の脚部４２，４３の先端はカッタ刃２７の先端よりＴだけ突出しており、このＴはほぼ剥離紙１４ｄの厚みに相当する寸法である。また、脚部４２，４３のカッタ刃２７に対する突出寸法Ｔはカッタ受部２８に形成した凹部４４，４５の深さより小さい。
【００３３】
図５（ａ）、（ｂ）はテープ切断機構２４のフルカットの動作を説明する図である。フルカットはテープを完全に切断するものであり、例えば、貼着用のテープ１４ａでは印字テープ１４ｂと接着剤１４ｃと剥離紙１４ｄを切断し、転写用のテープ１４ｅでは転写用の印字テープ１４ｆを切断する。
【００３４】
図４の初期状態からカッタ駆動モータ２９が正転駆動すると、カム３５、３６が矢印Ａ方向に回転し、それと共に係合ピン４０，４１も１点鎖線で示す円内の円弧軌道上を移動する。すると、係合ピン４０，４１と長穴３８，３９が係合し、バネ３７でカッタ受部２８の方向に付勢されているので、カッタ刃２７を支持したカッタ支持部２６は図５(a)で下方向に移動しつつカッタ受部２８に向けて移動する。カッタ駆動モータ２９がさらに正転駆動することで、係合ピン４０，４１の円弧軌道の移動に応じてカッタ支持部２６は図５(b)で上方に移動しつつカッタ受部２８上の印字テープ１４（貼着用のテープ１４ａ又は転写用のテープ１４ｅ）をフルカットする。図５（ｂ）はフルカット終了時の状態を示している。
【００３５】
フルカット処理が終了すると、カッタ駆動モータ２９が逆転してカッタ支持部２６は図４の初期位置に復帰する。カッタ刃２７のフルカットの初期位置及び終了位置はセンサによりカム３５、３６の回転角度を検出することで行われる。
【００３６】
次に、図６（ａ）、（ｂ）はテープ切断機構２１のハーフカットの動作を説明する図である。ハーフカットは剥離紙を有するテープを部分的に切断するものであり、例えば貼着用のテープ１４ａでは剥離紙１４ｄを残して印字テープ１４ｂと接着剤１４ｃを切断する。転写用のテープ１４ｅについては剥離紙が存在しないためハーフカットは行わない。
【００３７】
ハーフカット時には図４の初期状態からカッタ駆動モータ２９が逆転し、カム３５、３６が矢印Ｂ方向に回転し、それと伴って係合ピン４０，４１も１点鎖線で示す円内の円弧軌道上を移動する。すると、係合ピン４０，４１と長穴３８，３９が係合し、バネ３７でカッタ受部２８の方向に付勢されているので、カッタ支持部２６は図６(a)で上方向に移動しつつカッタ受部２８に向けて移動する。そして、カッタ支持部２６の脚部４２，４３がカッタ受部２８に当接する。カッタ駆動モータ２９がさらに逆転駆動することで、カッタ支持部２６は逆に図６(b)で下方に移動しつつカッタ受部２８上に印字テープ１４ｂをカッタ刃２７に向け剥離紙１４ｄをカッタ受部２８に向けて配置されるテープ１４の印字テープ１４ｂ部分のみを切断するハーフカットを行う。前述のように、カッタ支持部２６の脚部４２，４３の先端はカッタ刃２７の先端より剥離紙１４ｄの厚みに相当するＴの寸法だけ突出し、カッタ受部２８とカッタ刃２７の間にはＴのすき間があるため、貼着用のテープ１４ａの剥離紙１４ｄを残して印字テープ１４ｂ及び接着剤１４ｃが切断される。図６（ｂ）はハーフカット終了時の状態を示している。
【００３８】
ハーフカット処理が終了すると、カッタ駆動モータ２９が正転してカッタ支持部２６は図４の初期位置に復帰する。カッタ刃２７のハーフカットの初期位置はフルカットの場合の初期位置と同一であり、この初期位置及びハーフカットの終了位置はセンサによりカム３５、３６の回転角度を検出することで行われる。
【００３９】
次に、図７はテープ印字装置の電子回路の構成を示すブロック図である。
【００４０】
制御部５０は、キーボード３からのキー操作信号に応じてＲＯＭ５１に予め記憶されているシステムプログラムを起動させ、回路各部の動作制御を行なう。
【００４１】
この制御部５０には、印字装置の印字処理に関する各種データを記憶するＲＡＭ５２、表示用のフォントのパターンデータを発生する表示用キャラクタジェネレータ５３、印字用のフォントのパターンデータを発生する印字用キャラクタジェネレータ５４、入力された文書のデータや印字処理に必要なデータを表示する表示部４が接続されるとともに、プリンタ部５５が接続される。プリンタ部５５には、サーマルヘッド７及びその駆動回路５６が設けられ、またプラテンローラ８及びリボン巻取軸９を回転駆動するステップモータ５７及びその駆動回路５８が設けられ、テープ切断機構２４を駆動するカッタ駆動モータ２９及びその駆動回路５９が設けられる。
【００４２】
また、カセットケース１３に設けられる種類識別情報部２２の情報を検出するテープ種類識別スイッチ２３及びカセットケース１３に設けられる幅識別情報部２４の情報を検出するテープ幅識別スイッチ２５が設けられる。
【００４３】
また、テープ切断機構２４の初期位置、フルカット終了位置及びハーフカット終了位置を検出する複数のセンサ６０も設けられる。
【００４４】
図８は、前記テープ印字装置の印字制御処理を示すフローチャートである。
【００４５】
印字の開始前にハーフカット処理を行うかどうか予め設定する。ユーザがハーフカットを所望すればハーフカット処理を加えるべく表示画面で選択して設定する。
【００４６】
しかして、入力された文字列の印字が指示されると、テープ種類識別スイッチ６０の状態が確認されると共に、判断される（ステップＳ１、Ｓ２）。
【００４７】
テープ種類識別スイッチ６０がスイッチオフの状態であると判断されると、カセット収容部６に収容されたテープカセットに収納される印字テープは、剥離紙を有する貼着用のテープである。その場合には、印字データの全てを印字し（ステップＳ３、Ｓ４）、その後に文字列の後部に確保する余白の分だけテープを搬送し（ステップＳ５）、さらにサーマルヘッド７とテープ切断機構２１の距離だけテープを搬送し（ステップＳ６）、ハーフカットの設定があるか判断される（ステップＳ７）。ハーフカットの設定があれば、テープの搬送を停止した状態でカッタ駆動モータ２９を逆転駆動して初期位置にあるテープ切断機構２１を作動させることによりハーフカットを行う。ハーフカットが終了すれば、カッタ駆動モータ２９を正転駆動してテープ切断機構２１を初期位置に復帰させる（ステップＳ８）。その後、テープ搬送を再開し所定の距離だけ搬送してから（ステップＳ９）、テープの搬送を停止しカッタ駆動モータ２９を正転駆動してテープ切断機構２１を初期位置から作動させることによりフルカットを行う。フルカットが終了すれば、カッタ駆動モータ２９を逆転駆動してテープ切断機構２１を初期位置に復帰させ（ステップＳ１０）、印字処理を終了する。
【００４８】
また、ステップＳ７でハーフカットの設定がないと判断されると、ハーフカットを行うことなく、フルカットを行い（ステップＳ１０）、終了する。
【００４９】
また、前記ステップＳ２でテープ種類識別スイッチ２３がスイッチオンの状態であると判断されると、カセット収容部６に収容されたテープカセットに収納される印字テープは、剥離紙のないテープである。その場合には、印字データの全てを印字し（ステップＳ１１、Ｓ１２）、その後に文字列の後部に確保する余白の分だけテープを搬送し（ステップＳ１３）、さらにサーマルヘッド７とテープ切断機構２１の距離だけテープを搬送し（ステップＳ１４）、その後、テープの搬送を停止しカッタ駆動モータ２９を正転駆動してテープ切断機構２１を初期位置から作動させることによりフルカットを行い（ステップＳ９）、さらにカッタ駆動モータ２９を逆転駆動してテープ切断機構２１を初期位置に戻して終了する。
【００５０】
上述のように、前記ステップＳ２でテープ種類識別スイッチ２３がスイッチオンの状態であると判断された場合、すなわちカセット収容部６に装着されたテープカセット１２に収納されるテープが剥離紙のないものである場合には、ユーザがハーフカット処理の設定を行っていたとしても、その設定は無視されてハーフカットを行うことなく、フルカットのみが行われる。
【００５１】
なお、省略するが、転写用のテープの場合にはステップＳ１１の印字処理で鏡像を印字し、前述の磁力テープの場合には、貼着用のテープと同様に正像を印字する。これらは、印字の際に設定された正像又は鏡像の印字モード設定に応じて処理される。
【００５２】
図９（ａ）、（ｂ）、（ｃ）は印字例を示す。
【００５３】
図９（ａ）は剥離紙付きの印字テープをハーフカットの設定ありで処理した例であり、図９（ｂ）は剥離紙付きの印字テープをハーフカットの設定なしで処理した例であり、図９（ｃ）は剥離紙なしの印字テープを処理した例である。
【００５４】
図中、ＦＣはフルカットを表し、ＨＣはハーフカットを表している。また、Ｌ１は印字される文字列の前部に設定される余白の長さであり、この場合はサーマルヘッド７とテープ切断機構２１の距離である。Ｌ２は印字される文字列の後部に設定される余白の長さであり、Ｌ１と同一の長さである。Ｌ３は適宜の長さに予め設定されている。
【００５５】
この実施形態のテープ印字装置によれば、カセット収容部６に収容されたテープカセット１２の種類が、テープカセット１２に設けられた種類識別情報部２２を介してテープ種類識別スイッチ２３により検出されて印字テープが剥離紙を有するものか否かが判別され、剥離紙を有する印字テープに対してはテープ切断機構２１によりハーフカット処理とフルカット処理が施され、剥離紙のない印字テープに対してはテープ切断機構２１によりフルカット処理のみが施される。
【００５６】
従って、剥離紙のない印字テープに対して不必要なハーフカット処理を行うことがなく、テープを無駄にすることもない。
【００５７】
なお、テープカセットに設ける種類識別情報部は光学的に読み取り可能なマークとし、これを光学センサで読み取ってテープカセットの種類を判別するようにしてもよい。
【００５８】
また、上述の実施の形態ではテープ切断機構をフルカットとハーフカットを兼用するように構成したが、夫々独立させて設けてもよい。
【００５９】
図１０はのテープ切断機構の他の例を示す。図１０では、テープの排出路に沿ってフルカット機構７０と、ハーフカット機構７１が独立して設けられる。
【００６０】
フルカット機構７０は、支持部７２にフルカット刃７３が設けられ、支持部７２はラック７４とピニオンギア７５からなる移動機構によって受台８２に対して進退可能に構成されている。また、ハーフカット機構７１は、支持部７６に脚部７７，７８から上記実施の形態と同様にＴの寸法だけ突出してハーフカット刃７９が設けられ、この刃７９はラック８０とピニオンギア８１からなる移動機構によって受台８２に対して進退可能に構成されている。
【００６１】
前記ギア７５，８１は図示しない２個の駆動モータ及びその動力伝達機構によって回転駆動され、前記駆動モータの正転及び逆転によりフルカット刃７３及びハーフカット刃７９を独立して移動させるものである。
【００６２】
【発明の効果】
以上説明したように、発明によれば、カセット収容部に装着されたテープカセットの種類が判別され、その判別結果に応じて、印字テープの裏面に剥離紙を積層した第１の印字媒体に対しては、その印字テープのみを切断するハーフカットと、印字テープと剥離紙を切断するフルカットを行い、印字テープの裏面に剥離紙が存在しない第２の印字媒体に対しては、その印字テープを切断するフルカットのみを行ない、ハーフカットは行わない。
【００６３】
従って、剥離紙が存在しない印字媒体にハーフカットを行う無駄な切断処理や、そのような印字媒体にハーフカットを行うことにより生じる印字媒体の無駄な消費をなくすることができる。
【図面の簡単な説明】
【図１】本発明の実施形態に係るテープ印字装置の斜視図。
【図２】本発明の実施形態に係るテープ印字装置のテープカセット収容部及びテープカセットの斜視図。
【図３】（ａ）、（ｂ）は印字用テープの構造を示す図。
【図４】本発明の実施形態に係るテープ切断機構の説明図。
【図５】（ａ）、（ｂ）はテープ切断機構のフルカットの動作を説明する図。
【図６】（ａ）、（ｂ）はテープ切断機構のハーフカットの動作を説明する図。
【図７】テープ印字装置の電子回路の構成を示すブロック図。
【図８】前記テープ印字装置の印字制御処理を示すフローチャート。
【図９】（ａ）、（ｂ）、（ｃ）は印字例を示す図。
【図１０】テープ切断機構の他の例を示す図である。
【符号の説明】
１  …テープ印字装置
２  …装置本体
３  …キーボード
４  …液晶表示部
５  …蓋
６  …カセット収容部
７  …サーマルヘッド
８  …プラテンローラ
９  …リボン巻取軸
１０  …発熱体
１１  …軸
１２  …テープカセット
１３  …カセットケース
１４、１４ａ、１４ｅ…印字用のテープ
１４ｂ…印字テープ
１４ｃ…接着剤
１４ｄ…剥離紙
１５  …テープ供給リール
１６  …インクリボン
１７  …リボン供給リール
１８  …リボン巻取リール
１９  …ヘッド挿入部
２０  …テープ排出口
２１  …テープ切断機構
２２  …種類識別情報部
２３  …テープ種類識別スイッチ
２４  …幅識別情報部
２５  …テープ幅識別スイッチ
２６  …カッタ支持部
２７  …カッタ刃
２８  …カッタ受部
２９  …カッタ駆動モータ
３５，３６…カム
３７  …バネ
３８、３９…長穴
４０、４１…係合ピン
４２、４３…脚部
４４、４５…凹部
５０  …制御部（ＣＰＵ）
５１  …ＲＯＭ
５２  …ＲＡＭ
５３  …表示用キャラクタジェネレータ
５４  …印字用キャラクタジェネレータ
５５  …プリンタ部
５６  …印字ヘッド駆動回路
５７  …ステップモータ
５８  …モータ駆動回路
５９  …モータ駆動回路
６０  …センサ
７０  …フルカット機構
７１  …ハーフカット機構
７２  …支持部
７３  …フルカット刃
７６  …支持部
７７，７８  …脚部
７９  …ハーフカット刃
８２  …受台
【図１】
0003873162.tif 000002
【図２】
0003873162.tif 000003
【図３】
0003873162.tif 000004
【図４】
0003873162.tif 000005
【図５】
0003873162.tif 000006
【図６】
0003873162.tif 000007
【図７】
0003873162.tif 000008
【図８】
0003873162.tif 000009
【図９】
0003873162.tif 000010
【図１０】
0003873162.tif 000011